(57)【要約】【課題】簡単な構成で、聴取位置に関わりなく臨場感のある楽音を聴取することができ、信号レベルを小さくした場合でも楽音を聴取することができ、２人の者が同時にベッドに横たわり１人の者が就寝していても他の者がリラックスした状態で楽音を聴取することができるベッド装置を提供する。【解決手段】ベッド本体と、オーディオ信号を増幅するオーディオ信号増幅部と、前記オーディオ信号増幅部が増幅するオーディオ信号の増幅度を増減する操作部と、前記ベッド本体の一側面に対して略平行に固定されるレールと、前記レールにスライド可能に保持され前記オーディオ信号増幅部が増幅したオーディオ信号を楽音として出力するスピーカとを備える。【選択図】      図１
2004298291.tif 000002
【特許請求の範囲】
【請求項１】
ベッド本体と、オーディオ信号を増幅するオーディオ信号増幅部と、前記オーディオ信号増幅部が増幅するオーディオ信号の増幅度を増減する操作部と、前記ベッド本体の一側面に対して略平行に固定されるレールと、前記レールにスライド可能に保持され前記オーディオ信号増幅部が増幅したオーディオ信号を楽音として出力するスピーカとを備えることを特徴とするベッド装置。
【請求項２】
請求項１記載のベッド装置において、前記操作部は、前記レールに対して前記ベッド本体の左右側面にそれぞれ備えることを特徴とするベッド装置。
【発明の詳細な説明】
【０００１】
【発明の属する技術分野】
本発明は、楽音を出力するスピーカを備えるベッド装置に関する。
【０００２】
【従来の技術】
従来のスピーカを備えるベッド装置として、テレビとスピーカを配設した引き出し自在なラック体をベッドの一側に設けるベッド装置（例えば、特許文献１参照。）がある。また、楽音を出力するスピーカと振動を発生させる振動発生器を備えるベッド装置（例えば、特許文献２参照。）がある。
【０００３】
このようなベッド装置により、例えば、使用者がベッド装置に横たわった状態で、音楽鑑賞をすることができる。
【０００４】
【特許文献１】
特開平５−６８６２１号公報
【０００５】
【特許文献２】
特開２００１−２９３０５７号公報
【０００６】
【発明が解決しようとする課題】
左（Ｌ）チャンネルと右（Ｒ）チャンネルから成るステレオオーディオ信号をＬチャンネル用スピーカ及びＲチャンネル用スピーカから楽音として出力する場合、Ｌチャンネル用スピーカからの距離とＲチャンネル用スピーカからの距離が等しい位置で楽音を聴取することによって、臨場感のある楽音を聴取することができる。
【０００７】
前述したような、ベッド装置では、寝返りなどによってベッド装置に横たわった聴取者の位置が変化する。寝返りなどによってベッド装置に横たわった聴取者のＬチャンネル用スピーカからの距離とＲチャンネル用スピーカまでの距離が変わると、臨場感のある楽音を聴取することができなくなる。
【０００８】
通常のスピーカは、許容可能な最大信号レベルに至るまでの間、入力したオーディオ信号の信号レベルの増大に伴い迫力のある楽音を出力する。
このため、前述したようなベッド装置では、ベッド装置に横たわる聴取者の位置からスピーカの位置までの距離をある一定以上の距離、例えば、１メートル以上となるようスピーカを配置し、スピーカへ入力するオーディオ信号の信号レベルを増大することによって、迫力のある楽音を聴取することができる。しかしながら、聴取者の位置からスピーカの位置までをある一定以上の距離としてしてしまうと、例えば、深夜に近隣に迷惑が掛からないようにスピーカへ入力するオーディオ信号の信号レベルを低減して音楽鑑賞をしようとしても、スピーカから聴取者までの距離が離れているために、聴取者はスピーカから出力された楽音が聴取し難くなる。また、例えば、映画鑑賞をしている場合、スピーカから出力される楽音が聴取し難くなると、映画のセリフを正確に把握することができなくなる。
【０００９】
ベッド装置には、１人が就寝可能なシングル用ベッド装置の他、２人の者が就寝可能なダブル用ベッド装置やキングサイズのベッド装置がある。このような２人の者が就寝可能なベッド装置では、例えば、２人の者が同時に１つのベッド装置に横たわり、１人の者は就寝し、他の者は音楽鑑賞をしたい場合がある。前述したようなベッド装置は、１人の者が就寝している状態で、他の者が音楽鑑賞を希望しても、スピーカから出力させる楽音によって就寝している者の睡眠を妨害するため、スピーカへ入力する信号レベルを増大することができない。この場合、音楽鑑賞を希望する者が、例えば、耳にヘッドホンを装着し、このヘッドホンから出力される楽音を聴取することにより、就寝者の睡眠を妨害することなく音楽鑑賞をすることができる。しかし、ヘッドホンベッドを装着した状態で長時間ベッド装置に横たわっていると、耳に掛架されたヘッドホンが煩わしくなり、また、寝返りをすることによって耳からヘッドホンが脱落する虞があるため、リラックスした状態で楽音を聴取することができない。
【００１０】
本発明は、簡単な構成で、聴取位置に関わりなく臨場感のある楽音を聴取することができ、信号レベルを小さくした場合でも楽音を聴取することができ、２人の者が同時にベッドに横たわり１人の者が就寝していても他の者がリラックスした状態で楽音を聴取することができるベッド装置を提供することを目的とする。
【００１１】
【課題を解決するための手段】
本願の請求項１記載の発明は、ベッド本体と、オーディオ信号を増幅するオーディオ信号増幅部と、前記オーディオ信号増幅部が増幅するオーディオ信号の増幅度を増減する操作部と、前記ベッド本体の一側面に対して略平行に固定されるレールと、前記レールにスライド可能に保持され前記オーディオ信号増幅部が増幅したオーディオ信号を楽音として出力するスピーカとを備えることを特徴とする。
【００１２】
また、本願の請求項２記載の発明は、請求項１記載のベッド装置において、前記操作部は、前記レールに対して前記ベッド本体の左右側面にそれぞれ備えることを特徴とする。
【００１３】
【発明の実施の形態】
本発明の実施の形態を図面を参照して説明する。なお、従来技術で示した構成要素と同一の部分については同符号を用いる。
【００１４】
図１は、本発明のベッド装置の一実施例の構成を示す斜視図である。
ベッド装置１は、レール３、Ｌチャンネル用スピーカ４、Ｒチャンネル用スピーカ５、第１の操作部７、第２の操作部８、オーディオ信号増幅部９、入力端子１０及びベッド本体１００を備える。図１において、ベッド本体の手前側を前面とし、奥側を後面とする。
【００１５】
ベッド本体１００は、直方体を成し、後面の左辺及び右辺にそれぞれ板状のレール保持部２を備える。レール３は、細長い円筒形を成し、図示しないネジにより、両端がレール保持部２に固定されている。レール３は、中心軸がベッド本体１００の後面に対して略水平となるよう配設される。
【００１６】
入力端子１０は、ベッド本体１００の前面に固定され、導電ワイヤーにより、ＤＶＤ（Ｄｉｇｉｔａｌ  Ｖｅｒｓａｔｉｌｅ  Ｄｉｓｋ）、ＣＤ（Ｃｏｍｐａｃｔ  Ｄｉｓｋ）等の光ディスクに記録されたオーディオデータを再生しＬチャンネルとＲチャンネルから成るステレオオーディオ信号を出力する光ディスク再生装置と接続される。
【００１７】
オーディオ信号増幅部９は、入力端子１０から入力されたＬチャンネル及びＲチャンネルのオーディオ信号を増幅する。第１の操作部７及び第２の操作部８は、それぞれベッド本体１００の右側面及び左側面に固定され、オーディオ信号増幅部９が増幅するオーディオ信号の増幅度を増減する。
【００１８】
Ｌチャンネル用スピーカ４及びＲチャンネル用スピーカ５は、裏面に断面がＣ型を成し、レール３と嵌合する凹部６を備える。Ｌチャンネル用スピーカ４及びＲチャンネル用スピーカ５は、凹部６がレール３に嵌合することによって、矢印Ａ方向及びＢ方向に移動可能に保持される。
【００１９】
Ｌチャンネル用スピーカ４及びＲチャンネル用スピーカ５は、それぞれ導電ケーブル１０１によりオーディオ信号増幅部９と接続されている。Ｌチャンネル用スピーカ４は、オーディオ信号増幅部９が増幅したＬチャンネルの楽音を出力し、Ｒチャンネル用スピーカ５は、オーディオ信号増幅部９が増幅したＬチャンネルの楽音を出力する。導電ケーブル１０１は、Ｌチャンネル用スピーカ４及びＲチャンネル用スピーカ５がレール３の左右端にスライドしても切断されない長さを有する。
【００２０】
図２（ａ）は、本実施例のベッド装置に聴取者が横たわった状態で音楽鑑賞をしている状態を示す上面図である。
【００２１】
ベッド装置１の入力端子１０は、ＤＶＤ再生装置１６と接続し、ＤＶＤ再生装置１６は、表示装置１５と接続する。ＤＶＤ再生装置１６は、ＤＶＤに記録された映像信号を表示装置１５へ出力し、ＤＶＤに記録されたオーディオ信号を入力端子１０へ出力する。表示装置１５は、ＤＶＤ再生装置１６から出力された映像信号を表示する。
【００２２】
聴取者１７が音楽鑑賞をする場合は、初めに、図２（ａ）に示すように、Ｒチャンネル用スピーカ５を矢印Ａ方向へスライドさせ、Ｌチャンネル用スピーカ４を矢印Ｂ方向へスライドさせる。次に、第１の操作部７または第２の操作部８により、オーディオ信号増幅部９が増幅するオーディオ信号の増幅度を増大させる。
【００２３】
これにより、聴取者１７からＬチャンネル用スピーカ４及びＲチャンネル用スピーカ５までの距離は、図２（ａ）に示すように、距離Ｃ及び距離Ｄとなる。よって、聴取者１７は、表示装置１５から出力される映像信号を観ながらＬチャンネル用スピーカ４及びＲチャンネル用スピーカ５から出力される迫力のある楽音を聴取することができる。
【００２４】
図２（ｂ）は、図２（ａ）の状態から、深夜に、聴取者が音楽鑑賞をしている状態を示す上面図である。
聴取者１７が深夜に音楽鑑賞をする場合は、Ｒチャンネル用スピーカ５を矢印Ｂ方向へスライドさせ、Ｌチャンネル用スピーカ４を矢印Ａ方向へスライドさせる。次に、第１の操作部７または第２の操作部８により、オーディオ信号増幅部９が増幅するオーディオ信号の増幅度を低減させる。
【００２５】
このことにより、図２（ａ）に示す状態と比較して、聴取者１７からＬチャンネル用スピーカ４までの距離Ｃ及び聴取者１７からＲチャンネル用スピーカ５の位置までの距離Ｄが短くなる。よって、深夜に音楽鑑賞をする場合、オーディオ信号増幅部９が増幅するオーディオ信号の増幅度を低減させた状態としても、聴取者１７は、スピーカから出力される楽音を聴取することができる。
【００２６】
また、図２（ａ）に示す状態から、聴取者１７の位置が寝返りなどにより左右に変化した場合、Ｌチャンネル用スピーカ４及びＲチャンネル用スピーカ５をスライドさせて聴取者１７からＬチャンネル用スピーカ４までの距離Ｃ及び聴取者１７からＲチャンネル用スピーカ５までの距離Ｄが等しくなるようにする。このことにより、聴取者１７は、横たわる位置を変化させても、常に臨場感のある楽音を聴取することができる。
【００２７】
図３は、本実施例のベッド装置に聴取者及び就寝者が同時に横たわり、就寝者が睡眠しているときに聴取者が音楽鑑賞をする場合を示す上面図である。
【００２８】
就寝者１８が睡眠しているときに聴取者１７が音楽鑑賞をする場合は、初めに、Ｒチャンネル用とＬチャンネル用スピーカ４をそれぞれ矢印Ｂ方向へスライドさせる。次に、聴取者１７が第１の操作部７により、オーディオ信号増幅部９が増幅するオーディオ信号の増幅度を低減させる。
【００２９】
これにより、聴取者１７からＬチャンネル用スピーカ４及びＲチャンネル用スピーカ５までの距離Ｃ及びＤが、就寝者１８からＬチャンネル用スピーカ４及びＲチャンネル用スピーカ５までの距離Ｅ及びＦより小さくなる。よって、Ｌチャンネル用スピーカ４及びＲチャンネル用スピーカ５から出力される楽音によって、就寝者１８の睡眠を妨害することなく、聴取者１７はスピーカ４から出力される楽音を聴取して音楽鑑賞をすることができる。
【００３０】
また、本実施例のベッド装置１は、ベッド本体１００の右側面及び左側面にそれぞれ第１の操作部７と第２の操作部８を備えることにより、聴取者１７と就寝者１８の位置が図３と異なっていても、聴取者１７は、就寝者１８の睡眠を妨害することなく、オーディオ信号増幅部９が増幅するオーディオ信号の増幅度を調節することができる。
【００３１】
また、Ｌチャンネル用スピーカ４及びＲチャンネル用スピーカ５に駆動モータを備える構成とし、第１の操作部７及び第２の操作部８を操作することによって、自動的にＬチャンネル用スピーカ４及びＲチャンネル用スピーカ５がスライドする構成としても良い。
【００３２】
また、複数の者が同時にベッド装置１に横たわった場合、右側に横たわった者のみが楽音を聴取するモードまたは左側に横たわった者のみが楽音を聴取するモードを選択する操作キーを操作部に備える構成とし、当該操作キーを選択することで、Ｌチャンネル用スピーカ及びＲチャンネル用スピーカを予め定めた左右の位置に駆動する構成としても良い。これにより、簡単な操作により、Ｌチャンネル用スピーカ及びＲチャンネル用スピーカの位置を移動させることができる。
【００３３】
【発明の効果】
本発明によれば、簡単な構成で、聴取位置に関わりなく臨場感のある楽音を聴取することができ、信号レベルを小さくした場合でも楽音を聴取することができ、２人の者が同時にベッドに横たわり１人の者が就寝していても他の者がリラックスした状態で楽音を聴取することができるベッド装置を提供することができる。
【図面の簡単な説明】
【図１】本発明のベッド装置の一実施例の構成を示す斜視図。
【図２】図２（ａ）は、本実施例のベッド装置に聴取者が横たわった状態で音楽鑑賞をしている状態を示す上面図。図２（ｂ）は、図２（ａ）の状態から、深夜に、聴取者が音楽鑑賞をしている状態を示す上面図。
【図３】本実施例のベッド装置に聴取者及び就寝者が同時に横たわり、就寝者が睡眠しているときに聴取者が音楽鑑賞をする場合を示す上面図
【符号の説明】
１  ベッド装置、１００  ベッド本体、１０１  導電ケーブル、
２  レール保持部、３  レール、４  Ｌチャンネル用スピーカ、
５  Ｒチャンネル用スピーカ、６  凹部、７  第１の操作部、
８  第２の操作部、９  オーディオ信号増幅部、
１０  入力端子、１５  表示装置、１６  ＤＶＤ再生装置、１７  聴取者、
１８  就寝者
【図１】
2004298291.tif 000003
【図２】
2004298291.tif 000004
【図３】
2004298291.tif 000005